(57)【要約】【課題】生体からの電気信号に含まれる作用パルスとノイズパルスを高精度に判別するパルス判別装置および心電図解析装置を提供する。【解決手段】所定の時間間隔で作用パルスが伝搬する生体からの電気信号を受信し、電気信号に含まれる作用パルスとノイズパルスを判別するパルス判別装置２ａであって、生体から受信される電気信号の強度の変化に基づいて電気信号に含まれる電気パルスを順次検出するパルス検出部９と、パルス検出部９で検出される電気パルスの検出間隔と所定の時間間隔に基づいて予め定められたパルス時間とに基づいて、パルス検出部９で検出された電気パルスを作用パルスとノイズパルスのいずれかに判別するパルス判別部１０とを備える。【選択図】図１
2020048713.tif 000002
【特許請求の範囲】
【請求項１】
所定の時間間隔で作用パルスが伝搬する生体からの電気信号を受信し、前記電気信号に含まれる前記作用パルスとノイズパルスを判別するパルス判別装置であって、
前記生体から受信される前記電気信号の強度の変化に基づいて前記電気信号に含まれる電気パルスを順次検出するパルス検出部と、
前記パルス検出部で検出される前記電気パルスの検出間隔と前記所定の時間間隔に基づいて予め定められたパルス時間とに基づいて、前記パルス検出部で検出された前記電気パルスを前記作用パルスと前記ノイズパルスのいずれかに判別するパルス判別部とを備えるパルス判別装置。
【請求項２】
前記パルス判別部は、前記電気パルスの検出間隔が前記パルス時間内である場合に、前記パルス検出部で検出された前記電気パルスを前記ノイズパルスと判別する請求項１に記載のパルス判別装置。
【請求項３】
前記パルス判別部は、前記電気パルスの検出間隔が前記パルス時間以上である場合に、前記パルス検出部で検出された前記電気パルスを前記作用パルスと判別する請求項１または２に記載のパルス判別装置。
【請求項４】
前記パルス時間は、前記作用パルスのパルス幅の時間より大きい値に定められる請求項１〜３のいずれか一項に記載のパルス判別装置。
【請求項５】
前記電気パルスの検出間隔を測定するタイマと、
前記電気パルスが前記パルス検出部で検出されることにより前記タイマの測定を開始し、測定時間が前記パルス時間に達した場合に前記タイマの測定を停止するタイマ制御部とをさらに有し、
前記パルス判別部は、前記タイマの測定時間が前記パルス時間に達する前に次の前記電気パルスが前記パルス検出部で検出された場合に、次の前記電気パルスを前記ノイズパルスと判別する請求項１〜４のいずれか一項に記載のパルス判別装置。
【請求項６】
前記タイマ制御部は、前記タイマの測定時間が前記パルス時間に達するまでの間、次の前記電気パルスが前記パルス検出部で検出される度に前記タイマの測定時間をクリアし、
前記パルス判別部は、前記タイマの測定時間が前記パルス時間に達するまでの間に前記パルス検出部で検出された前記電気パルスを前記ノイズパルスと判別する請求項５に記載のパルス判別装置。
【請求項７】
前記作用パルスは、生体に取り付けられたペーシング装置から前記所定の時間間隔で出力されて心臓を拍動させるペーシングパルスからなる請求項１〜６のいずれか一項に記載のパルス判別装置。
【請求項８】
前記パルス検出部は、前記電気信号の立上りと立下りに基づいて前記電気信号に含まれる電気パルスを検出する請求項１〜７のいずれか一項に記載のパルス判別装置。
【請求項９】
請求項１〜８のいずれか一項に記載のパルス判別装置と、
生体から受信された電気信号に基づいて心電図を生成する心電図生成部と、
前記心電図生成部で生成された心電図を表示する表示部とを備える心電図解析装置。
【発明の詳細な説明】
【技術分野】
【０００１】
この発明は、パルス判別装置および心電図解析装置に係り、特に、所定の時間間隔で作用パルスが伝搬する生体からの電気信号を受信して電気信号に含まれる作用パルスとノイズパルスを判別するパルス判別装置および心電図解析装置に関する。
【背景技術】
【０００２】
従来から、ペースメーカーなどのペーシング装置から心臓を拍動させるために出力されるペーシングパルスと、ノイズパルスとを判別するパルス判別装置が提案されている。パルス判別装置は、ペーシング装置が取り付けられた生体からの電気信号を受信し、その電気信号に含まれるペーシングパルスとノイズパルスを判別する。例えば、生体情報モニタおよび心電計などの心電図解析装置にパルス判別装置を内蔵して、生体から受信される電気信号に基づいて心電図を生成すると共にその電気信号に含まれるペーシングパルスとノイズパルスを判別する。これにより、例えば、心電図にペーシングパルスおよびノイズパルスの出力タイミングを表示させることができ、心電図を詳細に解析することができる。
ここで、ペーシングパルスとノイズパルスの判別は、一般的に、生体から受信された電気信号を差分処理することにより行われる。
【０００３】
例えば、特許文献１には、使用する電極部の個数を増やすことなくペーシングパルスの検出精度を向上させるペースメーカパルス検出装置が提案されている。このペースメーカパルス検出装置は、心電電極からの入力信号を差動増幅するため、入力信号に含まれるペーシングパルスとノイズパルスを判別してノイズパルスを除去することができる。
【先行技術文献】
【特許文献】
【０００４】
【特許文献１】特開２００９−２４０６２３号公報
【発明の概要】
【発明が解決しようとする課題】
【０００５】
しかしながら、生体から受信される電気信号にはペーシングパルスに類似するノイズパルス、例えばペーシングパルスと同様に差動信号として入力されるノイズパルスが含まれる場合があり、特許文献１のペースメーカパルス検出装置のように、電気信号を差分処理するだけでは、電気信号に含まれるペーシングパルスとノイズパルスを高精度に判別できないおそれがあった。
【０００６】
この発明は、このような従来の問題点を解消するためになされたもので、生体からの電気信号に含まれる作用パルスとノイズパルスを高精度に判別するパルス判別装置および心電図解析装置を提供することを目的とする。
【課題を解決するための手段】
【０００７】
この発明に係るパルス判別装置は、所定の時間間隔で作用パルスが伝搬する生体からの電気信号を受信し、電気信号に含まれる作用パルスとノイズパルスを判別するパルス判別装置であって、生体から受信される電気信号の強度の変化に基づいて電気信号に含まれる電気パルスを順次検出するパルス検出部と、パルス検出部で検出される電気パルスの検出間隔と所定の時間間隔に基づいて予め定められたパルス時間とに基づいて、パルス検出部で検出された電気パルスを作用パルスとノイズパルスのいずれかに判別するパルス判別部とを備えるものである。
【０００８】
ここで、パルス判別部は、電気パルスの検出間隔がパルス時間内である場合に、パルス検出部で検出された電気パルスをノイズパルスと判別することが好ましい。
【０００９】
また、パルス判別部は、電気パルスの検出間隔がパルス時間以上である場合に、パルス検出部で検出された電気パルスを作用パルスと判別することができる。
【００１０】
また、パルス時間は、作用パルスのパルス幅の時間より大きい値に定めることが好ましい。
【００１１】
また、電気パルスの検出間隔を測定するタイマと、電気パルスがパルス検出部で検出されることによりタイマの測定を開始し、測定時間がパルス時間に達した場合にタイマの測定を停止するタイマ制御部とをさらに有し、パルス判別部は、タイマの測定時間がパルス時間に達する前に次の電気パルスがパルス検出部で検出された場合に、次の電気パルスをノイズパルスと判別することができる。
【００１２】
また、タイマ制御部は、タイマの測定時間がパルス時間に達するまでの間、次の電気パルスがパルス検出部で検出される度にタイマの測定時間をクリアし、パルス判別部は、タイマの測定時間がパルス時間に達するまでの間にパルス検出部で検出された電気パルスをノイズパルスと判別することができる。
【００１３】
また、作用パルスは、生体に取り付けられたペーシング装置から所定の時間間隔で出力されて心臓を拍動させるペーシングパルスからなることが好ましい。
【００１４】
また、パルス検出部は、電気信号の立上りと立下りに基づいて電気信号に含まれる電気パルスを検出することができる。
【００１５】
この発明に係る心電図解析装置は、上記のパルス判別装置と、生体から受信された電気信号に基づいて心電図を生成する心電図生成部と、心電図生成部で生成された心電図を表示する表示部とを備えるものである。
【発明の効果】
【００１６】
この発明によれば、パルス判別部は、パルス検出部で検出される電気パルスの検出間隔がパルス時間内である場合に、パルス検出部で検出された電気パルスをノイズパルスと判別するので、生体からの電気信号に含まれる作用パルスとノイズパルスを高精度に判別するパルス判別装置および心電図解析装置を提供することが可能となる。
【図面の簡単な説明】
【００１７】
【図１】この発明の実施の形態１に係るパルス判別装置を備えた心電図解析装置の構成を示すブロック図である。
【図２】実施の形態１の動作を示すフローチャートである。
【図３】表示部に心電図が表示された様子を示す図である。
【図４】実施の形態２に係る心電図解析装置の要部を示すブロック図である。
【発明を実施するための形態】
【００１８】
以下、この発明の実施の形態を添付図面に基づいて説明する。
実施の形態１
図１に、この発明の実施の形態１に係るパルス判別装置を備えた心電図解析装置２の構成を示す。この心電図解析装置２は、一対の電極１ａおよび１ｂと接続される。心電図解析装置２は、例えば心電図測定のための心電計であってもよく、他のバイタルサインパラメータ（呼吸、体温、脈拍数、血圧、等）を取得可能な生体情報モニタであってもよい。なお、生体情報モニタは、いわゆるベッドサイドモニタであってもよく、医用テレメータ等の携帯型の装置であってもよい。心電図解析装置２は、表示部５が着脱可能な構成または表示に用いる各種データを転送する構成であってもよい。
【００１９】
電極１ａおよび１ｂは、ペーシング装置が取り付けられた生体において２つの位置にそれぞれ配置され、生体からの電気信号を入力するものである。ここで、ペーシング装置は、生体に配置されて、心臓に向けてペーシングパルス（作用パルスの一種）を順次出力することで心臓を拍動させるものである。このため、電極１ａおよび１ｂに入力される電気信号は、心臓の動きを示す信号だけでなく、ペーシングパルスを含むものとなる。また、電極１ａおよび１ｂは、ペーシングパルスが互いに差動信号Ｐとして入力、すなわち電極１ａに入力されるペーシングパルスと電極１ｂに入力されるペーシングパルスとが逆位相で入力されるようにペーシング装置に対して配置される。
なお、ペーシング装置としては、例えばペースメーカーなどが挙げられる。
【００２０】
心電図解析装置２は、パルス判別装置２ａと、Ａ／Ｄ変換部３と、心電図生成部４と、表示部５とを有する。
パルス判別装置２ａは、電極１ａおよび１ｂに接続された受信部６を有し、この受信部６に差分処理部７、増幅部８、パルス検出部９およびパルス判別部１０が順次接続され、パルス判別部１０が表示部５に接続されている。また、パルス判別部１０にタイマ制御部１１およびタイマ１２が順次接続され、パルス判別部１０およびタイマ制御部１１に本体制御部１３が接続されている。
【００２１】
受信部６は、電極１ａおよび１ｂに入力された電気信号を受信するもので、電極１ａおよび１ｂが取り外し可能に接続されている。
差分処理部７は、電極１ａと電極１ｂから受信部６に受信された電気信号の差分を算出するもので、例えば差動増幅回路から構成することができる。
【００２２】
増幅部８は、差分処理部７で差分された電気信号の強度を増幅させるものである。増幅部８は、例えば増幅回路から構成することができる。
パルス検出部９は、増幅部８で増幅された電気信号の強度の変化に基づいて、電気信号に含まれる電気パルスを順次検出するものである。具体的には、パルス検出部９は、電気信号の強度の変化が予め設定された閾値を超えた場合に、その信号を電気パルスとして検出する。
【００２３】
タイマ１２は、パルス検出部９で検出される電気パルスの検出間隔を測定するものである。
タイマ制御部１１は、パルス検出部９での電気パルスの検出間隔に基づいてタイマ１２を制御するものである。具体的には、タイマ制御部１１は、パルス検出部９で電気パルスが検出されることによりタイマ１２の測定を開始し、次の電気パルスがパルス検出部９で検出されることなく、測定時間が予め定められたパルス時間に達した場合にタイマの測定をクリアしてゼロに戻す。また、タイマ制御部１１は、タイマ１２の測定時間がパルス時間に達するまでの間、次の電気パルスがパルス検出部９で検出される度にタイマ１２の測定時間をクリアしてゼロに戻し、再度スタートさせる。
【００２４】
パルス判別部１０は、パルス検出部９で検出される電気パルスの検出間隔と予め定められたパルス時間とに基づいて、パルス検出部９で検出される電気パルスをペーシングパルスとノイズパルスとに弁別する。具体的には、パルス判別部１０は、電気パルスの検出間隔が予め定められたパルス時間内である場合に、パルス検出部９で検出された電気パルスをノイズパルスと判別する。一方、パルス判別部１０は、電気パルスの検出間隔が予め定められたパルス時間以上である場合に、パルス検出部９で検出された電気パルスをペーシングパルスと判別する。
【００２５】
ここで、パルス時間は、ペーシング装置から出力されるペーシングパルスの出力間隔に基づいて予め設定されるものであり、ペーシングパルスの立上りと立下りとの間のパルス幅より大きい値に定めることが好ましい。例えば、パルス時間は、ペーシングパルスのパルス幅より大きい値で且つペーシングパルスがペーシング装置から出力される時間間隔より小さい値に定めることができ、例えばパルス時間を８ｍｓに定めることができる。
また、ノイズパルスは、ペーシングパルスと異なるパルスであり、例えば同相ノイズおよび連続性パルスなどが該当する。
【００２６】
本体制御部１３は、パルス判別装置２ａ内の各部の制御を行うものである。
なお、パルス判別部１０および本体制御部１３は、ＣＰＵと、ＣＰＵに各種の処理を行わせるための動作プログラムから構成されるが、それらをデジタル回路で構成してもよい。
【００２７】
Ａ／Ｄ変換部３は、増幅部８に接続され、増幅部８で増幅されたアナログの電気信号をアナログ／デジタル変換して、デジタルの電気信号を生成する。
心電図生成部４は、Ａ／Ｄ変換部３に接続され、Ａ／Ｄ変換部３で生成されたデジタルの電気信号に基づいて心電図を生成する。
表示部５は、心電図生成部４とパルス判別部１０にそれぞれ接続され、心電図生成部４で生成された心電図を表示すると共にパルス判別部１０でペーシングパルスと判別された心電図の位置にペーシングパルスの検出を示すパルスマークを表示する。
【００２８】
次に、図２のフローチャートを参照して実施の形態１の動作について説明する。
まず、図１に示す電極１ａおよび１ｂが生体表面の２つの位置に配置され、ステップＳ１で、パルス検出部９によるパルス検出が有効化される。生体には、図示しないペーシング装置が取り付けられており、心臓を拍動させるためのペーシングパルスがペーシング装置から心臓に向けて所定の時間間隔で順次出力されている。このため、生体にはペーシングパルスを含む電気信号が伝搬し、その電気信号が電極１ａおよび１ｂに入力されることになる。ここで、電極１ａおよび１ｂは、ペーシングパルスを差動信号Ｐとして入力するような位置に配置されている。電極１ａおよび１ｂに電気信号がそれぞれ入力されると、その電気信号が電極１ａおよび１ｂからパルス判別装置２ａの受信部６に出力される。
【００２９】
電極１ａおよび１ｂから出力された電気信号がそれぞれ受信部６で受信されると、受信部６は、電極１ａおよび１ｂから受信した電気信号を差分処理部７に出力する。差分処理部７は、受信部６から入力される電気信号を差分処理、すなわち互いに異なる２つの位置で受信された電気信号の差分を算出する。このため、差動信号Ｐとして入力されるペーシングパルスなどは、差分処理により互いに高められて大きな値となる。一方、同相信号として入力される電気パルス、例えば外部装置の振動に起因するノイズパルスなどは、互いに打ち消されて小さな値、例えばゼロになる。差分処理された電気信号は、差分処理部７から増幅部８に出力されて増幅された後、パルス検出部９に入力される。
【００３０】
このように、電極１ａおよび１ｂから入力された電気信号を差分処理することにより、差動信号Ｐとして入力される電気信号を抽出することができる。
なお、増幅部８で増幅された電気信号は、増幅部８からＡ／Ｄ変換部３にも出力される。
【００３１】
パルス検出部９は、増幅部８から入力される電気信号の強度の変化に基づいて電気信号に含まれる電気パルスの検出を行い、電気パルスを検出した場合には電気パルスの検出信号をパルス判別部１０に出力する。パルス判別部１０は、ステップＳ２で、パルス検出部９からの検出信号に基づいて電気パルスが検出されたか否かを判定する。具体的には、パルス判別部１０は、検出信号が入力された場合には電気パルスが検出されたと判定し、ステップＳ３で、タイマ制御部１１を介してタイマ１２をスタートさせる。一方、パルス判別部１０は、検出信号が入力されない場合には電気パルスが検出されていないと判定し、パルス検出部９から検出信号が入力されるまでステップＳ２を繰り返す。
【００３２】
ステップＳ３でタイマ１２がスタートされた後も、パルス検出部９は、次の電気パルスの検出を連続して行い、パルス判別部１０が、ステップＳ４で、次の電気パルスが検出されたか否かを判定する。パルス判別部１０は、次の電気パルスが検出されていないと判定した場合には、ステップＳ５に進み、タイマ１２の測定時間が予め定められたパルス時間以上であるか否かを判定する。このとき、パルス時間は、例えば、ペーシングパルスのパルス幅より大きい値で且つペーシングパルスがペーシング装置から出力される時間間隔より小さい値に定めることができる。
【００３３】
パルス判別部１０は、タイマ１２の測定時間がパルス時間以上と判定した場合には、ステップＳ６で、その電気パルスをペーシングパルスと判別し、ステップＳ７に進んで、ペーシングパルスの検出信号を表示部５に出力する。続いて、パルス判別部１０は、ステップＳ８で、タイマ制御部１１を介してタイマ１２の測定を停止してクリアし、ステップＳ２に戻って、電気パルスの検出を繰り返し実行する。
一方、パルス判別部１０は、ステップＳ５で、タイマ１２の測定時間がパルス時間より小さいと判定した場合には、ステップＳ４に戻り、パルス検出部９が次の電気パルスを検出したか否かを再び判定する。
【００３４】
また、パルス判別部１０が、ステップＳ４で、タイマ１２の測定時間がパルス時間に達する前に次の電気パルスが検出されたと判定した場合には、その電気パルスはパルス時間より短い間隔で検出されたものであり、ステップＳ９で、その連続して検出された電気パルスをノイズパルスと判別する。
【００３５】
ここで、例えば、ペーシング装置は、ペーシングパルスを出力する合間に別の電気パルスを短い間隔で連続して出力する場合がある。このような電気パルスは、差動信号Ｐとして電極１ａおよび１ｂから入力されるため、差分処理だけではペーシングパルスか否かの判別が困難であった。
そこで、パルス判別部１０が、ペーシング装置から出力されるペーシングパルスの出力間隔に基づいてノイズパルスか否かを判別することにより、電極１ａおよび１ｂから差動信号Ｐとして入力されるノイズパルスを高精度に判別することができる。
【００３６】
このようにして、パルス判別部１０が、連続して検出される電気パルスをノイズパルスと判別すると、ステップＳ１０で、タイマ制御部１１を介してタイマ１２の測定を停止してクリアし、ステップＳ１１に進んで、タイマ１２を再度スタートさせる。
【００３７】
続いて、パルス判別部１０は、ステップＳ１２で、パルス検出部９からの検出信号に基づいて、さらに次の電気パルスが検出されたか否かを判定する。パルス判別部１０は、次の電気パルスが検出されていないと判定した場合には、ステップＳ１３に進み、タイマ１２の測定時間が予め定められたパルス時間以上であるか否かを判定する。
パルス判別部１０は、タイマ１２の測定時間がパルス時間以上と判定した場合には、ノイズパルスが検出されないとして、ステップＳ２に戻り、電気パルスの検出を繰り返し実行する。一方、パルス判別部１０は、ステップＳ１３で、タイマ１２の測定時間がパルス時間より小さいと判定した場合には、ステップＳ１２に戻り、パルス検出部９が次の電気パルスを検出したか否かを再び判定する。
【００３８】
このようにして、パルス判別部１０は、ステップＳ１２で、タイマ１２の測定時間がパルス時間に達する前に、さらに次の電気パルスが検出されたと判定した場合には、その電気パルスはノイズパルスであるとして、ステップＳ１０に戻り、タイマ制御部１１が、タイマ１２を停止してクリアし、ステップＳ１１でタイマを再度スタートさせる。なお、パルス判別部１０は、ステップＳ９に戻った後、ステップＳ１０およびＳ１１を実行してもよい。
【００３９】
このように、タイマ制御部１１が、タイマ１２の測定時間がパルス時間に達するまでの間、次の電気パルスがパルス検出部９で検出される度にタイマの測定時間をクリアして繰り返しスタートさせる。このため、パルス判別部１０は、その間に連続して検出される電気パルスを余すこと無くまとめてノイズパルスと判別し、ペーシングパルスの判別から除くことができる。
【００４０】
ここで、増幅部８からＡ／Ｄ変換部３に出力された電気信号は、Ａ／Ｄ変換部３でデジタルの電気信号に変換された後、心電図生成部４に出力される。そして、心電図生成部４が、Ａ／Ｄ変換部３から入力された電気信号に基づいて心電図を生成し、その心電図信号を表示部５に出力する。
【００４１】
これより、表示部５には、図３に示すように、生体の心臓の拍動を示す心電図Ｅが表示される。また、表示部５には、ステップＳ７で、パルス判別部１０から出力されたペーシングパルスの検出信号が入力される。このため、表示部５は、ペーシングパルスの検出に対応する位置に、ペーシング装置からのペーシングパルスの出力を示すペーシングマークＭを心電図Ｅに重畳表示する。
このとき、パルス判別部１０が、電極１ａおよび１ｂから差動信号Ｐとして入力されるノイズパルスを高精度に判別するため、表示部５にノイズパルスをペーシングパルスとして誤表示することを確実に抑制することができる。さらに、パルス判別部１０は、短い間隔で連続して検出される電気パルスをまとめてノイズパルスと判別するため、例えばペーシング装置からペーシングパルスを出力する合間に別の電気パルスが連続して出力された場合に、図３に示すように、そのノイズパルスＮが誤表示されることを抑制することができる。
【００４２】
なお、パルス判別部１０で判別されたノイズパルスの判別情報は、表示部５における誤表示を抑制するための使用に限られるものではない。例えば、パルス判別部１０は、ノイズパルスを検出した検出信号を心電図生成部４に出力することができる。これにより、心電図生成部４は、検出信号に基づいてノイズパルスの影響を除いた心電図Ｅを生成することもできる。
【００４３】
本実施の形態によれば、パルス判別部１０が、ペーシングパルスのペーシング装置からの出力間隔と予め定められたパルス時間とに基づいて、その電気パルスをペーシングパルスとノイズパルスのいずれかに判別するため、電極１ａおよび１ｂから差動信号Ｐとして入力されるノイズパルスを高精度に判別することができる。
【００４４】
実施の形態２
上記の実施の形態１において、パルス検出部９は、電極１ａおよび１ｂから入力される電気信号の立上りおよび立下りにおける強度の変化に基づいて、電気信号に含まれる電気パルスを検出することが好ましい。
例えば、図４に示すように、実施の形態１のパルス検出部９に換えてパルス検出部２１を配置し、増幅部８とパルス検出部２１の間にハイパスフィルタ２２を新たに配置することができる。
【００４５】
ハイパスフィルタ２２は、増幅部８で増幅された電気信号のうち所定の周波数より低い成分を減衰させて、周波数の高い成分、すなわち立上り成分と立下り成分を取り出すものである。
【００４６】
パルス検出部２１は、電極１ａおよび１ｂから入力される電気信号の立上りと立下りを検出するもので、立上り検出部２３および立下り検出部２４を有する。
立上り検出部２３は、ハイパスフィルタ２２とパルス判別部１０との間に接続され、ハイパスフィルタ２２において立上り成分と立下り成分が取り出された電気信号を入力し、その電気信号の強度の変化に基づいて立上りを検出する。
立下り検出部２４は、ハイパスフィルタ２２とパルス判別部１０との間に接続され、ハイパスフィルタ２２において立上り成分と立下り成分が取り出された電気信号を入力し、その電気信号の強度の変化に基づいて立下りを検出する。
【００４７】
このような構成により、実施の形態１と同様に、生体からの電気信号が、電極１ａおよび１ｂ、受信部６、差分処理部７および増幅部８を介してハイパスフィルタ２２に入力されると、ハイパスフィルタ２２は、電気信号の立上り成分と立下り成分を取り出して、パルス検出部２１の立上り検出部２３と立下り検出部２４にそれぞれ出力する。
立上り検出部２３に電気信号が入力されると、立上り検出部２３は、電気信号の強度の変化に基づいて電気パルスの立上りを検出し、その検出信号をパルス判別部１０に出力する。同様に、立下り検出部２４に電気信号が入力されると、立下り検出部２４は、電気信号の強度の変化に基づいて電気パルスの立下りを検出し、その検出信号をパルス判別部１０に出力する。
このように、パルス検出部２１が、電気信号の立上りおよび立下りにおける強度の変化を検出するため、電気信号に含まれる電気パルスを確実に検出することができる。
【００４８】
立上り検出部２３と立下り検出部２４からそれぞれ出力された検出信号がパルス判別部１０に入力されると、パルス判別部１０は、実施の形態１と同様にして、電気信号に含まれるノイズパルスを判別する。
このとき、パルス判別部１０は、立上り検出部２３および立下り検出部２４で検出された電気パルスからノイズパルスを判別するため、電気信号に含まれるノイズパルスをより高精度に判別することができる。
【００４９】
本実施の形態によれば、パルス検出部２１が、電気信号の立上りおよび立下りにおける強度の変化を検出するため、電気信号に含まれる電気パルスを確実に検出することができる。
【００５０】
なお、上記の実施の形態１および２では、電極１ａおよび１ｂは、受信部６に対して取り外し可能に接続されたが、受信部６と電気的に接続されていればよく、これに限られるものではない。例えば、電極１ａおよび１ｂは、受信部６に対して一体に接続されてもよく、無線で接続されてもよい。
また、上記の実施の形態１および２では、電極１ａおよび１ｂは、生体の２つの位置に配置されたが、生体の複数の位置から電気信号を受信できればよく、２つに限られるものではない。
【００５１】
また、上記の実施の形態１および２では、パルス判別部１０は、ペーシングパルスと異なる電気パルスをノイズパルスとして判別したが、所定の時間間隔で生体を伝搬する作用パルスと異なる電気パルスをノイズパルスとして判別することができればよく、これに限られるものではない。例えば、パルス判別部１０は、所定の時間間隔で作用パルスが伝搬する生体からの電気信号を電極１ａおよび１ｂを介して受信し、その電気信号に含まれる作用パルスと異なる電気パルスをノイズパルスとして判別することができる。
【符号の説明】
【００５２】
１ａ，１ｂ  電極、２  心電図解析装置、２ａ  パルス判別装置、３  Ａ／Ｄ変換部、４  心電図生成部、５  表示部、６  受信部、７  差分処理部、８  増幅部、９，２１  パルス検出部、１０  パルス判別部、１１  タイマ制御部、１２  タイマ、１３  本体制御部、２２  ハイパスフィルタ、２３  立上り検出部、２４  立下り検出部、Ｐ  差動信号、Ｅ  心電図、Ｍ  ペーシングマーク、Ｎ  ノイズパルス。
【図１】
2020048713.tif 000003
【図２】
2020048713.tif 000004
【図３】
2020048713.tif 000005
【図４】
2020048713.tif 000006